(57)【要約】【課題】先行技術の場合は、背中の中心部に手が届かず指圧不能であり、指圧力が大変に低いため、効果も低い、更に、手の負担が大である。  本発明は、以上の問題点を解決するためになされたものである。【解決手段】長手の曳板の一端に、バックル付きのバンドの端を設け、他バンドの端を長手の梃子に設け、バンドの端をバックルに連結し、長手の梃子と長手の曳板の間隔を設定可能にし、梃子のバンドから少し離れて、二本の指圧棒を並列に突設し、梃子と曳板の両端同士を合わせて、指圧棒の先端が長手の曳板に接触した部分に指圧棒侵入孔を設けた強力ツボ押し。【選択図】    図１
2018019744.tif 000002
【特許請求の範囲】
【請求項１】
指圧棒を梃子の左端に突設し、バックル付きのバンドを梃子と曳板の間に介設し、梃子と曳板の間隔の長さをバンドにより設定可能にし、曳板の左端に指圧棒侵入孔を設け、指圧棒を指圧棒侵入孔に挿脱可能にして、コンパクト化させる強力ツボ押し。
【発明の詳細な説明】
【技術分野】
【０００１】
本発明は、梃子の原理を応用して、全身のツボを強力に指圧をする、健康器具に関するものである。
【背景技術】
【０００２】
従来、手動による、健康棒、ツボ押し君等が知られている。
【発明の概要】
【発明が解決しようとする課題】
【０００３】
先行技術の場合は、背中の中心部に手が届かず指圧不能であり、指圧力が大変に低いため、効果も低い、更に、手の負担が大である。
本発明は、以上の問題点を解決するためになされたものである。
【課題を解決するための手段】
【０００４】
指圧棒を梃子の左端に突設し、バックル付きのバンドを梃子と曳板の間に介設し、梃子と曳板の間隔の長さをバンドにより設定可能にし、曳板の左端に指圧棒侵入孔を設け、指圧棒を指圧棒侵入孔に挿脱可能にして、コンパクト化させる強力ツボ押し。
以上の構成よりなる強力ツボ押し。
【発明の効果】
【０００５】
（イ）全身のツボの指圧可能。
（ロ）梃子により指圧力が高いので効果抜群。
（ハ）梃子の原理により手の負担が減少される。
（二）携帯として、飛行機、列車、船、自動車等の長旅に最適である。
【図面の簡単な説明】
【０００６】
【図１】本発明の正面図。
【図２】本発明のコンパクト化した正面図。
【図３】本発明の指圧棒を背中に当てた側面図。
【図４】本発明の指圧棒を肩に当てた正面図。
【発明を実施するための形態】
【０００７】
以下、本発明の実施の形態を説明する。
（イ）  梃子（１）は、手で握る部分は細くし、指圧棒（２）の突設する部分は太くする。
（ロ）  指圧棒（２）は、棒状型で、先端を細くして梃子（１）に、２本並列に突設する。
（ハ）  曳板（３）は、板型で、バンド（４）を介して梃子（１）と連結する。
（二）  バンド（４）は、帯状型で、梃子（１）と曳板（３）を連結する。
（ホ）  バックル（５）は、長方形でバンドに設置して、バンド（４）の長さを調整する。
（へ）  留ネジ具（６）は、ネジ型で、バンド（４）を梃子（１）と曳板（３）に重合し螺設する。
（ト）  指圧棒侵入孔（７）は、曳板（３）の左端に設ける。
（チ）  右手（８）、左手（９）、左腕（１０）、背中（１１）、右耳（１２）、左耳（１３）、頭（１４）、右肩（１５）は、人体の部分。
本発明は以上のような構造である。
本発明を使用するときは。
１・曳板から指圧棒をはずす。
２・（図３）（図４）を参照、肩、背中、胴体等は、ベルトを長く設定する。
３・梃子を右手で握りバンドを背中にあて、曳板を左手で握りバンドを左腕で挟んで曳板を曳くか、又は、移動停止させ、同時に指圧棒をツボにあて、梃子を身体方向に押し付ける。
４・後に、梃子と曳板を移動させて別のツボにあてる、右側半身終了後。
５・梃子を左手で握り、曳板を右手で握り上記同様にして左側半身を指圧する。
６・手、足、首等の場合はベルトを短く設定し、前記を梃子と曳板で挟んで、梃子と曳板を内側方向に押し付ける。
７・指圧終了後に、指圧棒侵入孔に指圧棒を挿入してコンパクトにする。
【符号の説明】
【０００８】
1梃子、2指圧棒、3曳板、4バンド、5バックル、6留ネジ具、7指圧棒侵入孔、8右手、9左手、10左腕、11背中、12右耳、13左耳、14頭、15右肩、
【図１】
2018019744.tif 000003
【図２】
2018019744.tif 000004
【図３】
2018019744.tif 000005
【図４】
2018019744.tif 000006
【手続補正書】
【提出日】平成28年10月26日(2016.10.26)
【手続補正１】
【補正対象書類名】明細書
【補正対象項目名】全文
【補正方法】変更
【補正の内容】
【発明の詳細な説明】
【技術分野】
【０００１】
本発明は、梃子の原理を応用して、全身のツボを強力に指圧をする、健康器具に関するものである。
【背景技術】
【０００２】
従来、手動による、健康棒、ツボ押し君等が知られている。
【発明の概要】
【発明が解決しようとする課題】
【０００３】
先行技術の場合は、背中の中心部に手が届かず指圧不能であり、指圧力が大変に低いため、効果も低い、更に、手の負担が大である。
本発明は、以上の問題点を解決するためになされたものである。
【課題を解決するための手段】
【０００４】
長手の曳板の一端に、バックル付きのバンドの端を設け、他バンドの端を長手の梃子に設け、該バンドの端をバックルに連結し、長手の梃子と長手の曳板の間隔を設定可能にし、長手の梃子のバンドから少し離れて、二本の指圧棒を並列に突設し、長手の梃子と長手の曳板の両端同士を合わせて指圧棒の先端が長手の曳板に接触した部分に指圧棒侵入孔を設けた強力ツボ押し。
以上の構成よりなる強力ツボ押し。
【発明の効果】
【０００５】
（イ）全身のツボの指圧可能。
（ロ）梃子により指圧力が高いので効果抜群。
（ハ）梃子の原理により手の負担が減少される。
（二）携帯として、飛行機、列車、船、自動車等の長旅に最適である。
【図面の簡単な説明】
【０００６】
【図１】本発明の正面図。
【図２】本発明のコンパクト化した正面図。
【図３】本発明の指圧棒を背中に当てた側面図。
【図４】本発明の指圧棒を肩に当てた正面図。
【発明を実施するための形態】
【０００７】
以下、本発明の実施の形態を説明する。
（イ）梃子（１）は、手で握る部分は細くし、指圧棒（２）の突設する部分は太くす          る。
（ロ）指圧棒（２）は、棒状型で、先端を細くして梃子（１）に、２本並列に突設する。
（ハ）曳板（３）は、板型で、バンド（４）を介して梃子（１）と連結する。
（ニ）バンド（４）は、帯状型で、梃子（１）と曳板（３）を連結する。
（ホ）バックル（５）は、長方形でバンドに設置して、バンド（４）の長さを調整する。
（へ）留ネジ具（６）は、ネジ型で、バンド（４）を梃子（１）と曳板（３）に重合し螺      設する。
（ト）指圧棒侵入孔（７）は、曳板（３）と梃子（１）の両端同士を合わせて指圧棒 （２）の先端が接触した部分に設ける。
（チ）右手（８）、左手（９）、左腕（１０）、背中（１１）、右耳（１２）、左耳          （１３）、頭（１４）、右肩（１５）は、人体の部分。
本発明は以上のような構造である。
本発明を使用するときは。
１・曳板から指圧棒をはずす。
２・（図３）（図４）を参照、肩、背中、胴体等は、ベルトを長く設定する。
３・梃子を右手で握りバンドを背中にあて、曳板を左手で握りバンドを左腕で挟んで曳    板を曳くか、又は、移動停止させ、同時に指圧棒をツボにあて、梃子を身体方向に押    し付ける。
４・後に、梃子と曳板を移動させて別のツボにあてる、右側半身終了後。
５・梃子を左手で握り、曳板を右手で握り上記同様にして左側半身を指圧する。
６・手、足、首等の場合はベルトを短く設定し、前記を梃子と曳板で挟んで、梃子と曳    板を内側方向に押し付ける。
７・指圧終了後に、指圧棒侵入孔に指圧棒を挿入してコンパクトにする。
【符号の説明】
【０００８】
1梃子、2指圧棒、3曳板、4バンド、5バックル、6留ネジ具、7指圧棒侵入孔、8右手、9    左手、10左腕、11背中、12右耳、13左耳、14頭、15右肩、
【手続補正２】
【補正対象書類名】特許請求の範囲
【補正対象項目名】全文
【補正方法】変更
【補正の内容】
【特許請求の範囲】
【請求項１】
長手の曳板（３）の一端に、バックル付きのバンド（４）の端を設け、他バンド（４）の端を長手の梃子（１）に設け、バンド（４）の端をバックル（５）に連結し、長手の梃子（１）と長手の曳板（３）の間隔を設定可能にし、長手の梃子（１）のバンド（４）から少し離れて、二本の指圧棒（２）を並列に突設し、長手の梃子（１）と長手の曳板（３）の両端同士を合わせて指圧棒（２）の先端が長手の曳板（３）に接触した部分に指圧棒侵入孔（７）を設けた強力ツボ押し。